(57)【特許請求の範囲】
【請求項１】
画像信号に従い画像を表示する表示手段と、前記表示手段に前記画像信号を出力する画像処理部と、電源部と、前記画像処理部と前記電源部による画像信号と駆動電圧の出力を制御する制御回路とを備え、
前記画像処理部は、前記制御回路に対しクロック信号を出力し、
前記制御回路は前記クロック信号に基づき、第１制御信号および第２制御信号を出力し、
前記画像処理部は、前記第１制御信号が入力される事により、前記画像信号を出力し、
前記制御回路は、前記第２制御信号に従い、前記駆動電圧を前記表示手段へ出力し、
前記画像信号の出力の立上り時点は前記駆動電圧の出力の立上り時点よりも遅く、前記画像信号の立下り時点は前記駆動電圧の立下り時点よりも早い事を特徴とする表示装置。
【請求項２】
前記制御回路は複数の電気部品で構成された事を特徴とする請求項１の表示装置。
【請求項３】
前記クロック信号が出力される開始時点において、前記第２制御信号が立上り、前記開始時点から第１所定時間経過後に、前記第１制御信号が立上る様に、前記制御回路は構成された事を特徴とする請求項２の表示装置。
【請求項４】
前記クロック信号の出力が停止される停止時点から第２所定時間経過後に、前記第１制御信号は立下り、前記停止時点から、前記第２所定時間よりも長い第３所定時間が経過後に前記第２制御信号は立下る様に、前記制御回路は構成された事を特徴とする請求項３の表示装置。
【発明の詳細な説明】
【技術分野】
【０００１】
本発明は表示装置に関する。
【背景技術】
【０００２】
従来、この種の表示装置は例えば、特開２００１−２８２１６４号公報に示されている。この公報の図１によると、デジタル信号処理回路１０と、Ｄ／Ａ変換器１２と、アナログ処理回路１４と、駆動回路１８と、電源回路３００が設けられている。そして、制御部１６からパワーセーブが命じられると、電源回路３００は、Ｄ／Ａ変換器１２およびアナログ処理回路１４に供給する電圧を、通常動作時よりも低くする様に設けられている。
【特許文献１】特開２００１−２８２１６４号公報
【発明の開示】
【発明が解決しようとする課題】
【０００３】
上記表示装置では、通常動作時もパワーセーブも、表示部２００に供給する電圧ＶＤＤ３は一定であるので、パワーセーブ時に、消費電力がわずかしか小さくならない、第１の欠点がある。
【０００４】
そこで本発明者は、入力された映像信号を画像信号に変換する信号処理部と、画像信号に従い表示する表示手段と、電源部とを設けた。電源部と信号処理部を接続させ、信号処理部に新たに端子を設け、前記端子と表示手段を接続させ、前記端子に駆動電圧をオンオフさせていた。しかし、信号処理部に新たに端子を設ける必要があるので、汎用品の信号処理部を使うことができない、第２の欠点がある。
【０００５】
この欠点を解消するために、本発明者は、ソフトウエアにより動作するＣＰＵにて、表示手段への駆動電圧をオンオフする事を試みた。しかし、ソフトウエアにより、暴走した場合、オンオフの所定のタイミングが維持できない、第３の欠点がある。故に、本発明はこの様な従来の欠点を考慮して、省エネ効果が大きく、汎用品の信号処理部を使え、正確なオンオフのタイミングを維持できる、表示装置を提供する。
【課題を解決するための手段】
【０００６】
上記課題を解決するために、請求項１の本発明では、入力された映像信号を画像信号に変換する信号処理部と、画像信号に従い画像を表示する表示手段と、電源部と、信号処理部と表示手段と電源部とに各々接続された制御回路とを備え、制御回路は表示手段に対しオンオフする駆動電圧を出力し、信号処理部をして表示手段に対し、オンオフする画像信号を出力させる。
【０００７】
請求項２の本発明では、画像信号の立上り時点は駆動電圧の立上り時点よりも遅く、画像信号の立下り時点は駆動電圧の立下り時点よりも早くなる様に、制御回路は複数の電気部品で構成された。
【０００８】
請求項３の本発明では、信号処理部は少なくとも制御回路に対しクロック信号を出力し制御回路はクロック信号に基づき、第１制御信号および第２制御信号を生成し、第１制御信号は信号処理部へ出力される事により、画像信号が出力され、第２制御信号に従い、駆動電圧は電源部から表示手段へ出力される。
【０００９】
請求項４の本発明では、クロック信号が出力される開始時点において、第２制御信号が立上り、開始時点から第１所定時間経過後に、第１制御信号が立上る様に、制御回路は構成された。
【００１０】
請求項５の本発明では、クロック信号の出力が停止される停止時点から第２所定時間経過後に、第１制御信号は立下り、停止時点から、第２所定時間よりも長い第３所定時間が経過後に第２制御信号は立下る様に、制御回路は構成された。
【発明の効果】
【００１１】
請求項１の本発明では、入力された映像信号を画像信号に変換する信号処理部と、画像信号に従い画像を表示する表示手段と、電源部と、信号処理部と表示手段と電源部とに各々接続された制御回路とを備え、制御回路は表示手段に対しオンオフする駆動電圧を出力し信号処理部をして表示手段に対し、オンオフする画像信号を出力させる。この様に、表示手段へ供給される駆動電圧および画像信号をオンオフ制御するので、従来よりも、省エネ効果は大きくなる。更に、制御回路が駆動電圧を出力するので、従来の様に、信号処理部において、新たに端子を設ける必要がなく、汎用品の信号処理部を使うことができる。
【００１２】
請求項２の本発明では、画像信号の立上り時点は駆動電圧の立上り時点よりも遅く、画像信号の立下り時点は駆動電圧の立下り時点よりも早くなる様に、制御回路は複数の電気部品で構成された。上記構成により、表示手段において、駆動電圧が印加されている期間のみに、画像信号が印加されるので、表示手段を構成する駆動部が破壊される事を防止できる。
【００１３】
請求項３の本発明では、信号処理部は少なくとも制御回路に対しクロック信号を出力し制御回路はクロック信号に基づき、第１制御信号および第２制御信号を生成し、第１制御信号は信号処理部へ出力される事により、画像信号が出力され、第２制御信号に従い、駆動電圧は電源部から表示手段へ出力される。この様に、第１制御信号および第２制御信号を用いた上記構成により、制御回路はハードウエアにて構成することができる。従って、従来の様に、ソフトウエアによる制御動作の暴走を防止できる。
【００１４】
請求項４の本発明では、クロック信号が出力される開始時点において、第２制御信号が立上り、開始時点から第１所定時間経過後に、第１制御信号が立上る様に、制御回路は構成された。上記構成により、第１制御信号および第２制御信号の立上りタイミングを正確に維持できるので、画像信号および駆動電圧の立上りタイミングを正確に維持できる。
【００１５】
請求項５の本発明では、クロック信号の出力が停止される停止時点から第２所定時間経過後に、第１制御信号は立下り、停止時点から、第２所定時間よりも長い第３所定時間が経過後に第２制御信号は立下る様に、制御回路は構成された。上記構成により、第１制御信号および第２制御信号の立下りタイミングを正確に維持できるので、画像信号および駆動電圧の立下りタイミングを正確に維持できる。
【発明を実施するための最良の形態】
【００１６】
図１のブロック図に従い、本発明の最良の形態に係る表示装置１を説明する。図１において、信号処理部２は例えば、画像処理部３と、制御部４と、伝送部５等からなる。画像処理部３は例えば、グラフィックＬＳＩ等からなり、入力された映像信号ｋを、液晶表示パネル（後述）の画面サイズに適した画像データｍに変換する。
【００１７】
制御部４は例えばＣＰＵ等からなり、この表示装置１に用いられる複数の電気部品（後述）を制御する。
【００１８】
伝送部５は、画像処理部３から入力された画像データｍを、画像信号ｉに変換するものである。この画像信号ｉは、例えば、低レベル差動伝送信号（Low Voltage Differential Signal）である。この様に、信号処理部２は、入力された映像信号ｋを、画像信号ｉに変換するものである。
【００１９】
ＲＡＭ６はランダムアクセスメモリであり、制御部４に接続され、この表示装置１の動作に必要なデータを記憶している。ＲＯＭ７はリードオンリーメモリであり、制御部４に接続されている。ＲＯＭ７は制御部４の制御プログラムを記憶し、また、上述した映像信号ｋを記憶している。
【００２０】
入力部８は例えば、キーボードやマウス等からなり、制御部４に接続され、ユーザ（使用者）により入力されるものである。制御回路９は複数の電気部品で構成され、信号処理部２および表示手段（後述）に対し、各々の制御信号（後述）を出力する。
【００２１】
プラグ１０の出力側はコネクタ基板１１を介して、電源部１２と、電源手段１３に接続されている。電源部１２はトランスや整流回路などからなり、所定の電圧を持つ直流電圧（例えば、ＶＣＣ＝３．３ボルト，ＶＤＤ＝３．３ボルト）を供給する。電源手段１３はトランスや整流回路からなり、所定の電圧（例えば、１２ボルト）を供給する。
【００２２】
液晶パネル１４は例えば、２枚のガラス板の中に液晶を封入されたものからなる。下ガラス板の表面上に、複数のソース電極と、複数のゲート電極が行列状に形成され、各画素毎に、各ＴＦＴが形成されている。
【００２３】
駆動部１５は例えば、ソースドライバと、ゲートドライバ等からなる。ソースドライバは、上記複数のソース電極に接続されている。ゲートドライバは、上記複数のゲート電極に接続されている。この様に、駆動部１５は、液晶パネル１４に設けられた各ソース電極および各ゲート電極を駆動するものである。
【００２４】
この駆動部１５と液晶パネル１４とにより、表示手段１６が構成されている。伝送部５の出力側は駆動部１５の入力側に接続されている。上記構成により、画像信号ｉは伝送部５から駆動部１５へ出力される。この様にして、表示手段１６は画像信号ｉに従い、画像を表示する。
【００２５】
制御回路９は表示手段１６の駆動部１５に接続され、信号処理部２の伝送部５に接続され、電源部１２に接続されている。
【００２６】
また、画像処理部３と、制御部４と、伝送部５と、ＲＡＭ６と、ＲＯＭ７と、制御回路９等は、回路基板２０上に固定されている。上記部品２，６，７，８，９，１０，１１，１２，１３，１６，１７，１８，２０等により、この表示装置１は構成されている。
【００２７】
次に、主に図２の電気回路図に従い、この表示装置１に用いられる制御回路９を説明する。図２に示された入力端子２１は、画像処理部３に設けられた出力端子（図示せず）に電気的接続されている。画像処理部３により生成されたクロック信号ａは、入力端子２１に供給される。
【００２８】
入力端子２１は導電部２２を介して、伝送部５の入力端子（図せず）に接続され、該入力端子には、クロック信号ａが供給される。また、入力端子２１は導電部を介して、バッファ２３の入力側に接続されている。
【００２９】
バッファ２３の出力側は、ダイオード２４（ショットキーバリアダイオードでも良い）のアノードに接続されている。ダイオード２４のカソードは、導電部２５を介して、波形整形器２６の入力側に接続されている。
【００３０】
導電部２５の１部は抵抗２７を介して接地されている。導電部２５の他部は、コンデンサ２８を介して接地されている。
【００３１】
波形整形器２６の出力側は、ダイオード２９と抵抗３０の並列回路を介して、波形整形器３１の入力側に接続されている。波形整形器３１の入力側はコンデンサ３２を介して接地されている。
【００３２】
波形整形器３１の出力側は抵抗３３を介して、トランジスタ３４のベースに接続されている。抵抗３５の一側は、抵抗３３と、ベースとの接続点に接続されている。抵抗３５の他側は、トランジスタ３４のエミッタと共に接地されている。
【００３３】
トランジスタ３４のコレクタは、抵抗３６を介して、導電部３７に接続されている。抵抗３８の一側は、トランジスタ３４のコレクタと抵抗３６との接続点に接続されている。抵抗３８の他側は、ＦＥＴ３９のゲートに接続されている。
【００３４】
コンデンサ４０は、導電部３７と、ＦＥＴ３９のゲートとの間に接続されている。導電部３７の一側には、端子４１が接続されている。端子４１には、電源部１２から、所定の電圧ＶＣＣ（例えば、直流３．３ボルト）が供給される。
【００３５】
ＦＥＴ３９のドレインは、出力端子４２に接続されている。出力端子４２は、ＦＥＴ３９がオンした時に、端子４１の所定の電圧ＶＣＣ（例えば、直流３．３ボルト）がＦＥＴ３９を通して供給される。
【００３６】
ダイオード４４と抵抗４５との並列回路は、波形整形器２６の出力側と、波形整形器４６の入力側との間に接続されている。
【００３７】
コンデンサ４７の一側は波形整形器４６の入力側に接続され、コンデンサ４７の他側は接地されている。
【００３８】
図２において、伝送部５を除いた上記部品により、この制御回路９は構成されている。出力端子４２は導電部を介し、駆動部１５の電源用端子（図示せず）に接続されている。
【００３９】
次に、図１ないし図４に従い、この表示装置１の動作を説明する。図３は、表示装置１に用いられる各信号の波形図、図４は、その他の信号の波形図である。
【００４０】
これらの図において、ユーザは例えば入力部８に設けられたスタートキー（図示せず）を押したものとする。この時、電源部１２は、制御回路９と、信号処理部２と、ＲＡＭ６と、ＲＯＭ７等に対し、所定の電圧ＶＣＣ等を印加する。電源手段１３はインバータ１８に対し、所定の電圧を印加し、バックライト１７を照光させる。
【００４１】
そして、制御部４は、ＲＯＭ７に記憶された制御プログラムに従って、制御動作を開始する。制御部４は、信号処理部２内の画像処理部３に対し、クロック信号ａの発生を開始させる。
【００４２】
画像処理部３は、制御回路９および伝送部５に対し、クロック信号ａを出力する。このクロック信号ａが出力される時点を、開始時点Ｔ１と呼ぶ（図３参照）。
【００４３】
ダイオード２４と、抵抗２７と、コンデンサ２８とにより、平滑回路が構成され、波形整形器２６への入力信号ｂは、ノコギリ状の波形となる。クロック信号ａの出力が停止される停止時点Ｔ２を過ぎた時、上記入力信号ｂは緩やかに低下する（図３（ｂ）参照）。
【００４４】
波形整形器２６は例えばシュミットトリガからなり、入力信号ｂの波形を整形し、デジタル化する。その結果、波形整形器２６の出力信号ｃは、図３（ｃ）の通りとなる。
【００４５】
ダイオード２９と抵抗３０とコンデンサ３２とにより、信号ｃはオンからオフへ緩やかに低下し、信号ｄとなる（図３（ｄ）参照）。
【００４６】
波形整形器３１は入力信号ｄの波形を整形し、デジタル化する。その結果、波形整形器３１の出力信号、即ち、第２制御信号ｅは、図３（ｅ）の通りとなる。
【００４７】
この様に、クロック信号ａが出力される開始時点Ｔ１において、第２制御信号ｅは立上る。そして、クロック信号ａの出力が停止される停止時点Ｔ２から、第３所定時間ｔ１２が経過した時点Ｔ３において、第２制御信号ｅは立下る。この様に動作する様に、制御回路９は構成されている。
【００４８】
ダイオード４４はダイオード２９と比べて、順方向電流の方向が逆である。このダイオード４４と抵抗４５とコンデンサ４７とにより、信号ｃはオフからオンへ緩やかに増加し信号ｆとなる（図３（ｆ）参照）。
【００４９】
波形整形器４６は入力信号ｆの波形を整形し、デジタル化する。その結果、波形整形器４６の出力信号、即ち、第１制御信号ｇは図３（ｇ）の通りとなる。
【００５０】
この様に、クロック信号ａが出力される開始時点Ｔ１から、第１所定時間ｔ１０が経過した時点Ｔ４において、第１制御信号ｇは立上る。
【００５１】
そして、クロック信号ａの出力が停止される停止時点Ｔ２から、第２所定時間ｔ１１が経過した時点Ｔ５において、第１制御信号ｇは立下る。
【００５２】
抵抗３０とコンデンサ３２による時定数と、抵抗４５とコンデンサ４７による時定数を選択する事により、第２所定時間ｔ１１よりも第３所定時間ｔ１２が長くなる。
【００５３】
第２制御信号ｅがハイ状態の時、トランジスタ３４のベースに対し、所定の電圧が印加されるので、トランジスタ３４はオンする。
【００５４】
その結果、端子４１と、導電部３７の１部分と、抵抗３６と、トランジスタ３４のコレクタと、トランジスタ３４のエミッタとを経由して、電流が流れる。この時、ＦＥＴ３９のゲートには、電圧ＶＣＣよりも小さい電圧が印加されるので、ＦＥＴ３９はオンする。その結果、出力端子４２は駆動部１５に対し、所定の電圧ＶＤＤ(例えば、直流３．３ボルト)を出力する。
【００５５】
また、第２制御信号ｅがロウ状態の時、トランジスタ３４のベースに対し、電圧が印加されないので、トランジスタ３４はオフする。その結果、ＦＥＴ３９のゲートは、電圧ＶＣＣ（例えば直流３．３ボルト）が印加されるので、ＦＥＴ３９はオフする。その結果、出力端子４２は駆動部１５に対し、ロウレベルの電圧を出力する。
【００５６】
この様にして、制御回路９が駆動部１５へ出力する駆動電圧ｈの波形は、図４（ｈ）の通りとなる。即ち、第２制御信号ｅの開始時点Ｔ１において、駆動電圧ｈは立上りを開始する。駆動電圧ｈは、所定電圧ＶＤＤの１０％から９０％へ立上る時間ｔ１が０＜ｔ１＜２５ｍｓとなる様に設定される。コンデンサ４０（例えば０．１μＦ）と、抵抗３８（例えば１０ｋΩ）の値を適切に選択する事により、上記設定は行われる。
【００５７】
第２制御信号ｅの停止時点Ｔ３において、駆動電圧ｈは立下りを開始する。駆動電圧ｈは、所定電圧ＶＤＤの９０％から１０％へ立下る時間ｔ３が、１５ｍｓ＜ｔ３＜２００ｍｓとなる様に設定される。
【００５８】
また、上述した様に、第２制御信号ｅに従い（即ち、第２制御信号ｅがハイ状態の時）駆動電圧ｈは、電源部１２から表示手段１６へ出力される。
【００５９】
また、図３（ｇ）に従い説明した様に、クロック信号ａが出力される開始時点Ｔ１から第１所定時間ｔ１０が経過した時点Ｔ４において、第１制御信号ｇは立上る。そしてクロック信号ａの出力が停止される停止時点Ｔ２から、第２所定時間ｔ１１が経過した時点Ｔ５において、第１制御信号ｇは立下る。
【００６０】
第１制御信号ｇは信号処理部２の伝送部５に対し、出力される事により、伝送部５は駆動部１５に対し画像信号ｉを出力する。画像信号ｉの波形は、図４（ｉ）に示されている。画像信号ｉは、時点Ｔ４において、立上りを開始する。画像信号ｉは時点Ｔ５において、立下りを開始する。
【００６１】
上述した動作の特徴を以下にまとめる。画像処理部３は少なくとも制御回路９に対し、クロック信号ａを出力する。制御回路９はクロック信号ａに基づき、第１制御信号ｇおよび第２制御信号ｅを生成する。
【００６２】
第１制御信号ｇは伝送部５へ出力される事により、画像信号ｉは駆動部１５へ出力される。また、上述した様に、駆動電圧ｈは駆動部１５へ出力される。この画像信号ｉと駆動電圧ｈとにより、駆動部１５は液晶パネル１４をして、所定の表示を行わせる。
【００６３】
更に詳細には、制御回路９は表示手段１６に対し、オンオフする駆動電圧ｈ（図４を参照）を出力する。制御回路９は信号処理部２をして、表示手段１６に対し、オンオフする画像信号ｉ（図４参照）を出力する。
【００６４】
また、図４に示す様に、画像信号ｉの立上り時点Ｔ４は、駆動電圧ｈの立上り時点Ｔ１よりも遅くなる様に設定されている。画像信号ｉの立下り時点Ｔ５は、駆動電圧ｈの立下り時点Ｔ３よりも早くなる様に設定されている。
【図面の簡単な説明】
【００６５】
【図１】本発明の最良の形態に係る表示装置１のブロック図である。
【図２】上記表示装置１を構成する制御回路９の電気回路図である。
【図３】上記表示装置１に用いられる各信号の波形図である。
【図４】上記表示装置１に用いられる他の信号の波形図である。
【符号の説明】
【００６６】
２  信号処理部
９  制御回路
１２  電源部
１６  表示手段
【図１】
0004649869.tif 000002
【図２】
0004649869.tif 000003
【図３】
0004649869.tif 000004
【図４】
0004649869.tif 000005